(57)【要約】【課題】小型化及び低コスト化を図りつつ、表示パネルの浮きを確実に防止して良好な表示輝度を確保することを可能とする電気光学装置及び電子機器を提供すること。【解決手段】電気光学材料を有する電気光学パネル１０と、該電気光学パネル１０を収容するフレーム４０と、一端部が電気光学パネル１０に接続され、フレーム４０の側端面４２を回り込んでフレーム４０の裏面に固定された配線基板２０と、該配線基板２０に少なくとも１面が当接された状態でフレーム４０に係合された係合部材６０とを備えることを特徴とする。【選択図】図１
2009216977.tif 000002
【特許請求の範囲】
【請求項１】
電気光学材料を有する電気光学パネルと、
該電気光学パネルを収容するフレームと、
一端部が電気光学パネルに接続され、前記フレームの側端面を回り込んで前記フレームの裏面に固定された配線基板と、
該配線基板に少なくとも１面が当接された状態で前記フレームに係合された係合部材とを備えることを特徴とする電気光学装置。
【請求項２】
前記フレームが、当該フレームの少なくとも底部を構成する金属部と、該金属部と一体化された樹脂部とによって構成されていることを特徴とする請求項１に記載の電気光学装置。
【請求項３】
前記電気光学パネルを収容する前記フレームと前記係合部材とが係止部により係合され一体化されていることを特徴とする請求項１または請求項２に記載の電気光学装置。
【請求項４】
前記配線基板の前記一端部側が係合部材に当接されていることを特徴とする請求項１から請求項３のいずれか１項に記載の電気光学装置。
【請求項５】
前記フレームの側端面は湾曲面を有し、前記配線基板は前記フレームの側端面に沿う湾曲部を有し、前記係合部材の当接により前記配線基板は前記フレームの前記側端面との間に間隙を保ち配置されていることを特徴とする請求項１から請求項４のいずれか１項に記載の電気光学装置。
【請求項６】
前記係合部材の少なくとも前記フレームに係合される部分が剛性部材からなることを特徴とする請求項１から請求項５のいずれか１項に記載の電気光学装置。
【請求項７】
前記係合部材が、金属を含むとともに、前記フレームの前記樹脂部に係合されていることを特徴とする請求項２から請求項６のいずれか１項に記載の電気光学装置。
【請求項８】
前記請求項１から請求項７のいずれか１項に記載の電気光学装置を備えることを特徴とする電子機器。
【発明の詳細な説明】
【技術分野】
【０００１】
本発明は、電気光学装置及び電子機器に関する。
【背景技術】
【０００２】
現在、携帯電話機、携帯情報端末機等といった各種の電子機器において、各種の情報を視覚的に表示するための表示部として液晶表示装置が用いられている。
このような液晶表示装置の一例として、表示パネルの一例である液晶パネルとバックライト（照明装置）と、液晶パネル及びバックライトを収容するためのフレームとを備えた液晶表示装置が知られている。
【０００３】
液晶パネルは、一対の基板と、基板外周部に沿って一対の基板間に形成されたシール材と、これら一対の基板及びシール材により囲まれた領域に配置された液晶とを有して構成されるものである。また、上記バックライトは、一般に透光性の樹脂によって形成された導光板と、光を発生する光源とを有する。このような光源としては、例えばＬＥＤ（Light Emitting Diode）や冷陰極管等を用いることができ、光源から発せられた光は導光板の内部に導入され、導光板の内部を進行した後、導光板の光出射面から面状の光となって液晶表示装置の液晶層へ出射されて表示が行われるようになっている。
【０００４】
そして、上記液晶パネルには、可撓性を備えた、例えばＦＰＣ（Flexible Printed Circuit）から構成される配線基板が接続される。この配線基板には、例えば液晶パネルを駆動するために必要となる駆動回路及び入力用端子が形成されていて、この入力用端子に外部電源や種々の外部機器が接続されることにより、配線基板を介して液晶パネルに駆動信号や電力を供給できるようになっている。また、光源であるＬＥＤが実装され、導光板やプリズムシートにより液晶パネルに透過光を照射することができる構造とされる場合もある。光源（ＬＥＤ）を配線基板に実装することでコスト面で有益なものとなっている。
【０００５】
このような配線基板は、一般に液晶表示装置の小型化や設計自由度を高めるといった理由から、液晶パネル（表示パネル）から直線的に引き出された後に曲げられた構成となっており、配線基板に曲げ応力が生じた状態で使用される。また、液晶パネルは、バックライトに遮光性を備えた接着テープによって貼着されることで上記フレームに収容されているのであるが、液晶パネルの遮光領域の縮小に伴い、遮光領域として利用される接着テープの表面積も小さくなってきている。
【０００６】
よって、図６に示すように、配線基板１０１の反力が液晶パネル１０３の表示面と略垂直な方向に発生するため、上述したような接着テープ１０２の接着力では液晶パネル１０３とバックライト１０４とを貼り合わせておくことができず、液晶パネル１０３がバックライト１０４から剥がれてフレーム１０５内から浮き上がってしまう虞がある。
【０００７】
このように、バックライト１０４から液晶パネル１０３が剥がれてしまうと液晶表示面の表面輝度ムラといった不具合が発生してしまう。また、フレーム１０５内から液晶パネル１０３が浮き上がると、バックライト１０４と液晶パネル１０３との位置関係が変化することでバックライト１０４の光を有効に利用できなくなってしまい、液晶表示装置１００の表示品質が低下してしまうという問題がある。
【０００８】
そこで、図７に示すように、リブ１１１等を設けて液晶パネル１０３や配線基板１０１を押さえることで配線基板１０１の反力を抑制するという構成が考えられてきた（例えば、特許文献１参照。）。
【特許文献１】特開２００６−９８８１１号公報
【発明の開示】
【発明が解決しようとする課題】
【０００９】
しかし、配線基板だけを押さえても液晶パネルの浮きに対して不十分な場合が多い。また、液晶パネルを押さえる構造は落下時の衝撃の際にリブ等が液晶パネルを強く押してしまうことになり、パネル割れの原因になってしまうことがあった。さらに、リブ等により偏光板を押さえるような構造も提案されている。このような構造は、液晶パネルの浮きに対して有効であるが、外形の大きさが大きくなってしまい、コンパクトな構造を求める現在の顧客ニーズに対応できない。そのため、外形をコンパクトに納め、液晶パネルの浮きを確実に防止する構造が求められている。
また、配線基板の長さやフレームの寸法（公差）のばらつきにより、リブ等が組み込み難くなったり、リブによる配線基板等の押さえが弱くなってしまうという問題もあった。
【００１０】
さらに、フレームの強度を向上させて薄型化を可能としたインサート成形のフレームを用いた液晶表示装置が提案されている。インサート成形のフレームを用いた液晶表示装置２００は、具体的には、図８に示すように、フレーム２０５が、底部及び側壁の一部を構成する金属板２０１と、金属板２０１と一体化された枠状の樹脂部２０２とを備えている。そして、配線基板２０３がフレーム２０５の側面２０５ａを回り込んで裏面に固定されている。そのため、配線基板２０３に曲げ応力が生じた状態で使用されており、液晶パネル２１０の浮きを押さえることが困難である。さらに、配線基板２０３がフレーム２０５の側面２０５ａを回り込んでいるため、ＬＥＤを配線基板２０３に実装することができなくなる。これにより、フレーム２０５の内部にＬＥＤを配置することになり、配線基板２０３とは別のＬＥＤ用配線基板２０４を備える必要が生じる。したがって、コストが高くなるとともに、装置全体の小型化を図ることが困難となる。
【００１１】
本発明は、上記の課題を解決するためになされたものであって、小型化及び低コスト化を図りつつ、表示パネルの浮きを確実に防止して良好な表示輝度を確保することを可能とする電気光学装置及び電子機器を提供することを目的とする。
【課題を解決するための手段】
【００１２】
上記目的を達成するために、本発明は、以下の手段を提供する。
本発明の電気光学装置は、電気光学材料を有する電気光学パネルと、該電気光学パネルを収容するフレームと、一端部が電気光学パネルに接続され、前記フレームの側端面を回り込んで前記フレームの裏面に固定された配線基板と、該配線基板に少なくとも１面が当接された状態で前記フレームに係合された係合部材とを備えることを特徴とする。
【００１３】
本発明に係る電気光学装置では、係合部材は、配線基板に少なくとも１面が当接された状態で係合されているため、配線基板の曲げ応力（配線基板が元に戻ろうとする反力）が電気光学パネルに作用するのを抑えることができる。このように、配線基板の曲がる部分に加わる応力を緩和することができるため、電気光学パネルがフレームから浮き上がることを防止することができる。したがって、電気光学パネルの浮きを確実に防止することができ、輝度ムラのない良好な表示を可能とし、画像の表示品質を長期的に維持することが可能となる。
また、従来では、フレームの寸法（公差）のばらつきにより、固定部による配線基板の押圧が弱くなるおそれがあるが、本発明は、フレームの形状、大きさや配線基板の厚みに応じた係合部材をフレームに係合させることにより、配線基板の曲げ応力を低減することができるため、電気光学パネルがフレームから浮き上がることを防止することができる。
さらに、配線基板がフレームの側端面を回り込んでフレームの裏面に固定されているため、配線基板上に電気光学パネルを照明する光源を実装することができるので、装置全体の小型化及び低コスト化を図ることが可能となる。
【００１４】
また、本発明の電気光学装置は、前記フレームが、当該フレームの少なくとも底部を構成する金属部と、該金属部と一体化された樹脂部とによって構成されていることが好ましい。
【００１５】
近年、フレームの強度を向上させて薄型化を可能とした電気光学装置が提案されている。しかしながら、薄型化された電気光学装置は、ねじれや曲げ、落下、振動等に対する強度が十分ではなく、薄型化に伴い、面強度の要求を満たすことが困難になるという課題が生じる。本発明に係る電気光学装置は、フレームが、当該フレームの底部を構成する金属部と、この金属部と一体化された樹脂部とによって構成されている。これにより、曲げやねじれの力に対する電気光学装置の機械的強度を向上させることができる。
また、フレームを金属部と樹脂部とで構成する場合、フレームの底面に開口部を形成することが難しいため、配線基板に光源を実装し、フレームの裏面側から光源を配置する構成にすることができない。しかしながら、本発明の電気光学装置は、フレームに係合部材を嵌め込んで配線基板を固定する構造であるため、配線基板に光源を実装し、電気光学パネルの裏面側に光源を配置させることができるので、低コスト化を図ることが可能となる。
【００１６】
また、本発明の電気光学装置は、前記電気光学パネルを収容する前記フレームと前記係合部材とが係止部により係合され一体化されていることが好ましい。
【００１７】
本発明に係る電気光学装置は、電気光学パネルを収容するフレームと係合部材とが係止部により係合され一体化されているため、装置全体の薄型化を図りつつ、電気光学装置の機械的強度を向上させることができる。
【００１８】
また、本発明の電気光学装置は、前記配線基板の前記一端部側が係合部材に当接されていることが好ましい。
【００１９】
本発明に係る電気光学装置は、配線基板の一端部側が係合部材に当接されているため、電気光学パネルがフレームから浮き上がることを最も効率良く防止することができる。
【００２０】
また、本発明の電気光学装置は、前記フレームの側端面は湾曲面を有し、前記配線基板は前記フレームの側端面に沿う湾曲部を有し、前記係合部材の当接により前記配線基板は前記フレームの前記側端面との間に間隙を保ち配置されていることが好ましい。
【００２１】
本発明に係る電気光学装置は、フレームの側端面と配線基板の接続部との間に適度な間隙を保つことが可能となり配線基板の応力を効率的に緩和し電気光学パネルの浮きを防止することができる。また、この間隙によりフレームの側端面と接続部との過度の接触を防止し配線切れを防止することが可能となる。
【００２２】
また、本発明の電気光学装置は、前記係合部材の少なくとも前記フレームに係合される部分が剛性部材からなることが好ましい。
【００２３】
本発明に係る電気光学装置は、係合部材の少なくともフレームに係合される部分が剛性部材からなるため、係合部材がフレームに強固に固定される。したがって、装置全体の薄型化を図りつつ、衝撃等に対する強度を強くすることが可能となる。
【００２４】
また、本発明の電気光学装置は、前記係合部材が、金属を含むとともに、前記フレームの前記樹脂部に係合されていることが好ましい。
【００２５】
本発明に係る電気光学装置は、係合部材が、金属からなるとともに、フレームの樹脂部に係合されている。これにより、フレームの樹脂部を係合部材に係合可能な形状に加工し易いため、生産性の向上を図ることが可能となる。
【００２６】
また、本発明の電気光学装置は、上記の電気光学装置を備えることを特徴とする。
本発明の電子機器によれば、上記した電気光学装置を備えているので、輝度ムラのない高品質で信頼性の高い画像を表示することを可能とする。
【発明を実施するための最良の形態】
【００２７】
以下、図面を参照して、本発明に係る電気光学装置及び電子機器の実施形態について説明する。なお、以下の図面においては、各部材を認識可能な大きさとするために、各部材の縮尺を適宜変更している。
【００２８】
［一実施形態］
以下に、本発明の電気光学装置の一実施形態について説明する。
図１は、本実施形態の液晶表示装置の係合部材を係合した状態を示す斜視図であり、図２は、図１のＡ−Ａ線に沿う断面図であり、図３は、液晶表示装置を裏面側から見た斜視図であり、図４は、液晶表示装置に係合部材を係合する前の状態を示す斜視図である。
【００２９】
液晶表示装置（電気光学装置）１は、図１及び図２に示すように、液晶パネル（電気光学パネル）１０と、当該液晶パネル１０に接続されたＦＰＣ（Flexible Printed Circuit）基板（配線基板）２０と、液晶パネル１０を照明する照明装置３０と、液晶パネル１０及び照明装置３０を収容するフレーム４０と、係合部材６０とを備えている。
【００３０】
図２に示すように、液晶パネル１０は、第１基板１１と、第１基板１１から張り出した張り出し部１２ａを有する第２基板１２と、これら第１基板１１及び第２基板１２を貼り合わせるための基板周縁部に設けられた不図示のシール材と、第１基板１１及び第２基板１２とシール材とにより形成された空間内に配置された電気光学材料としての不図示の液晶層と、第１，第２基板１１，１２を挟むように設けられた第１偏光板１３及び第２偏光板１４とを有している。第１基板１１及び第２基板１２は、透光性を有するガラス、プラスチック等によって形成されている。
【００３１】
第１基板１１の第２基板１２と対向する面上には、複数のＩＴＯ（Indium・Tin Oxide）膜からなる、例えば、ストライプ状の第１透明電極が設けられ、この第１透明電極を覆うようにポリイミドなどからなる配向膜が形成されている。一方、第２基板１２の第１基板１１と対向する面上には、第１透明電極と交差するように複数のＩＴＯ膜からなる、例えば、ストライプ状の第２透明電極が設けられ、この第２透明電極を覆うようにポリイミドなどからなる配向膜が形成されている。ここで、第１透明電極、第２透明電極及びこれらを覆う配向膜は公知の技術で形成されるもので、図示を省略してある。
【００３２】
さらに、張り出し部１２ａ上には、図２に示すように、例えば液晶パネル１０を駆動するために必要となる駆動回路５０及び入力用端子（不図示）が形成されていて、この入力用端子に外部電源や種々の外部機器が接続されることにより、ＦＰＣ基板２０を介して液晶パネル１０に駆動信号や電力を供給できるようになっている。
【００３３】
このような構成の液晶パネル１０は、対向する第１透明電極及び第２透明電極と、これらに挟持される液晶層とにより画素が形成される。そして、各画素に印加する電圧を選択的に変化させることによって液晶層の光学特性を変化させ、照明装置３０から照射される光は各画素のこの液晶層を透過することによって変調される。このように光を変調させることによって画像などを表示することができ、液晶パネル１０における表示領域は、図１に示すシール材により囲まれた表示領域Ｖに略等しくなっている。
【００３４】
照明装置３０は、図２に示すように、光を射出するＬＥＤ（光源）３１と、導光板３２と、反射板３３と、拡散板３４と、第１プリズムシート３５と、第２プリズムシート３６とを備えており、反射板３３と、導光板３２と、拡散板３４と、第１プリズムシート３５と、第２プリズムシート３６の順に、液晶パネル１０に向かって配置されている。
照明装置３０と液晶パネル１０とは、両面が接着可能な両面遮光シート３７を介して貼り合わされている。また、両面遮光シート３７は、遮光性を有しており、照明装置３０からの光漏れを防止している。
また、照明装置３０は、フレーム４０に形成された開口部４０ａ内にＬＥＤ３１が配置されている。
液晶パネル１０は、図２に示すように、導光板３２に額縁状の両面遮光シート３７によって貼り合わされている。両面遮光シート３７は液晶パネル１０の遮光領域を兼ねている。
【００３５】
ＦＰＣ基板２０は、図２に示すように、接続部２１及び電子部品実装部２２を有している。接続部２１に、張り出し部１２ａ上に配置された入力用端子とＡＣＦ（導電性接着剤）等により導電接続される配線が形成され、電子部品実装部２２には、配線と電気的に接続される回路素子としての複数の半導体装置５４が配置されている。また、ＦＰＣ基板２０の裏面２０ｃ上には複数の光源部としてのＬＥＤ３１が配置されている。
【００３６】
半導体装置５４は、液晶パネル１０の駆動回路５０に対して制御信号や電力を供給するものである。更に、ＦＰＣ基板２０の裏面２０ｃ上には、外部から半導体装置５４に対して制御信号や電源などを供給するための配線（図示せず）が形成されている。このＦＰＣ基板２０は、その接続部２１の電子部品実装部２２とは反対側の端部がＡＣＦ等によって張り出し部１２ａに固着されている。そして、ＦＰＣ基板２０の配線がＡＣＦ内の導電粒子によって張り出し部１２ａ上の入力用端子に導電接続されている。
【００３７】
フレーム４０は、例えば、金属板（金属部）４３と樹脂部４４とのインサート成形により一体的に形成されている。また、フレーム４０は、図１に示すように、液晶パネル１０を収容しており、底部及び側壁部の一部を構成する金属板４３と、金属板４３と一体化された枠状の樹脂部４４とによって構成されている。フレーム４０の側端面４２側には、金属板４３が設けられておらず、樹脂部４４のみで構成されている。さらに、フレーム４０の側端面４２に隣接する側面４７ａ，４７ｂのうち側端面４２近傍の部分も樹脂部４４のみで構成されている。
また、金属板４３は、例えば、ベリリウム銅、ステンレス等の金属材料によって形成され、樹脂部４４は、例えば、ポリカーボネート等の樹脂材料により形成されている。
【００３８】
フレーム４０には、図２に示すように、底面の金属板４３と内部の樹脂部４４とによって形成された空間である凹部４０ｃが形成され、凹部４０ｃに液晶パネル１０及び照明装置３０が収容されている。また、図１に示すように、フレーム４０の側面４７ａ，４７ｂの樹脂部４４には、係止爪４８，４９がそれぞれ設けられている。
【００３９】
また、図３に示すように、電子部品実装部２２に両面テープ４５が設けられている。そして、液晶表示装置１が組み立てられた際、液晶パネル１０から直線的に延びるＦＰＣ基板２０を湾曲させることで、電子部品実装部２２は、側端面４２を回り込んで両面テープ４５によりフレーム４０の裏面４０ｂに固定される。
このようにして曲げられたＦＰＣ基板２０には曲げ応力が生じている。さらに、液晶パネル１０の遮光領域の面積は、非常に小さく、両面遮光シート３７の表面積も小さくなっている。そのため、両面遮光シート３７の接着力では、上述したような液晶パネル１０に生じている応力に耐えることが難しい。したがって、フレーム４０内に収容されている液晶パネル１０には、応力により導光板３２から剥離させ、フレーム４０から浮き上がらせるような力が加わった状態となる。
【００４０】
また、ＦＰＣ基板２０は、図２に示すように、液晶表示装置１を構成する際に、液晶パネル１０の裏面側に重なるように曲げられた状態で使用される。このため、フレーム４０には、曲げられたＦＰＣ基板２０の電子部品実装部２２が、フレーム４０の裏面４０ｂに位置しやすいように、フレーム４０は、ＦＰＣ基板２０が曲げられる側のフレーム４０の上面４１から側端面４２に向かって湾曲した面となっているため、ＦＰＣ基板２０の断線等を防ぐ構成になっている。また、ＦＰＣ基板２０はフレーム４０の側端面４２に沿う湾曲部２３を有している。
【００４１】
フレーム４０には、図４に示すように、金属を含む係合部材６０が係合されている。係合部材６０は、フレーム４０の側端面４２に沿って延びる保持部６０ａと、保持部６０ａからフレーム４０の側面４７ａ，４７ｂに沿って延びるアーム部（係止部）６０ｂ，６０ｃとを有している。この係合部材６０は、フレーム４０の形状、大きさやＦＰＣ基板２０の厚みに応じた形状となっており、図１に示すように、ＦＰＣ基板２０に当接された状態でフレーム４０に係合される。具体的には、図２に示すように、係合部材６０の上部６０ｄ、内壁６０ｅ、底面６０ｆがＦＰＣ基板２０に当接している。これにより、ＦＰＣ基板２０は、フレーム４０の側端面４２との間に間隙を保ち配置されている。
また、図４に示すように、液晶パネル１０の厚み方向（図４の上下方向）の係合部材６０の高さＴ１が、フレーム４０の高さＴ２と略同じである。
アーム部６０ｂ，６０ｃには、矩形状の貫通孔６１，６２がそれぞれ形成されている。この貫通孔６１，６２は、フレーム４０の側面４７ａ，４７ｂに設けられた係止爪（係止部）４８，４９に係合される。これにより、フレーム４０と係合部材６０とが係止部により係合され一体化されており、係合部材６０はフレーム４０に対する移動が規制され、係合部材６０は、フレーム４０に強固に固定される。
【００４２】
次に、上述した液晶表示装置１の組み立て方法について説明する。
まず、金属板４３と樹脂部４４とが一体的に形成されたフレーム４０に液晶パネル１０を嵌め込む。そして、図４に示すように、ＦＰＣ基板２０をフレーム４０の側端面４２で回り込ませてフレーム４０の裏面４０ｂに両面テープ４５で固定する。次に、フレーム４０の係止爪４８，４９に係合部材６０の貫通孔６１，６２を係合させ、係合部材６０をフレーム４０に嵌め込む。
【００４３】
本実施形態に係る液晶表示装置１では、係合部材６０により、ＦＰＣ基板２０をフレーム４０に固定するため、ＦＰＣ基板２０の曲げ応力（配線基板が元に戻ろうとする反力）が液晶パネル１０に作用するのを抑えることができる。これにより、液晶パネル１０がフレーム４０から浮き上がることを防止することができる。したがって、液晶パネル１０の浮きを確実に防止することによって、輝度ムラのない良好な表示を可能とし、画像の表示品質を長期的に維持することが可能となる。
また、図７に示した従来の構成では、フレームの寸法（公差）のばらつきにより、固定部による配線基板の押圧が弱くなるおそれがあるが、本実施形態の液晶表示装置１は、フレーム４０の形状、大きさやＦＰＣ基板２０の厚みに応じた係合部材６０をフレーム４０に係合させることにより、ＦＰＣ基板２０の曲げ応力を低減することができるため、液晶パネル１０がフレーム４０から浮き上がることを防止することができる。
つまり、本実施形態の液晶表示装置１は、小型化及び低コスト化を図りつつ、液晶パネル１０の浮きを確実に防止して良好な表示輝度を確保することが可能となる。
【００４４】
また、近年、フレームの強度を向上させて薄型化を可能とした液晶表示装置１が提案されている。しかしながら、薄型化された液晶表示装置１は、ねじれや曲げ、落下、振動等に対する強度が十分ではなく、薄型化に伴い、面強度の要求を満たすことが困難になるという課題が生じる。本実施形態に係る液晶表示装置１は、フレーム４０が、当該フレーム４０の底部を構成する金属板４３と、この金属板４３と一体化された樹脂部４４とによって構成されている。これにより、曲げやねじれの力に対する液晶表示装置１の機械的強度を向上させることができる。
また、フレーム４０を金属板４３と樹脂部４４とで構成する場合、フレーム４０の底面に開口部を形成することが難しいため、ＦＰＣ基板２０にＬＥＤ３１を実装し、フレーム４０の裏面４０ｂ側からＬＥＤ３１を配置する構成にすることができない。しかしながら、本実施形態の液晶表示装置１は、フレーム４０のＦＰＣ基板２０が配置される部分を樹脂部４４のみで形成し、フレーム４０に係合部材６０を嵌め込んでＦＰＣ基板２０を固定する構造であるため、ＦＰＣ基板２０にＬＥＤ３１を実装し、液晶パネル１０の裏面側にＬＥＤ３１を配置させることができるので、低コスト化を図ることが可能となる。
【００４５】
さらに、係合部材６０の高さＴ１が、フレーム４０の高さＴ２と略同じであるため、装置全体の薄型化を図りつつ、液晶表示装置１の機械的強度を向上させることができる。
また、係合部材６０が金属からなるため、係合部材６０がフレーム４０に強固に固定される。したがって、装置全体の薄型化を図りつつ、衝撃等に対する強度を強くすることが可能となる。
また、係合部材６０が、金属からなるとともに、フレーム４０の樹脂部４４に係合されている。これにより、フレーム４０の樹脂部４４の係止爪４８，４９を係合部材６０の貫通孔６１，６２に係合可能な形状に加工し易いため、生産性の向上を図ることが可能となる。
また、フレーム４０の側端面４２とＦＰＣ基板２０の接続部２１との間に適度な間隙を保つことが可能となり、ＦＰＣ基板２０の応力を効率的に緩和し液晶パネル１０の浮きを防止することができる。また、この間隙によりフレーム４０の側端面４２と接続部２１との過度の接触を防止し配線切れを防止することが可能となる。
【００４６】
なお、大型液晶パネルを用いた場合、フレーム４０の大型化に伴い係合部材６０も大型になる。この構成では、フレーム４０と係合部材６０との係合部分（本実施形態での係止爪４８，４９及び貫通孔６１，６２）の数を適宜増やすことにより、フレーム４０と係合部材６０とを強固に固定することが可能となる。
また、係合部材６０の係止部として、係合部材６０に貫通孔６１，６２を形成し、フレーム４０に係止爪４８，４９を形成したが、これに限るものではなく、また、貫通孔６１，６２及び係止爪４８，４９の位置や数もこれに限るものではない。
また、係合部材６０の上部６０ｄ、内壁６０ｅ、底面６０ｆがＦＰＣ基板２０に当接しているとしたが、少なくとも係合部材６０がＦＰＣ基板２０の１面に当接された状態でフレーム４０に係合されていれば良い。この場合、液晶パネル１０の浮きを最も防止できるのはＦＰＣ基板２０に係合部材６０の上部６０ｄを当接させる構成であり、次に、液晶パネル１０の浮きを防止できるのは、ＦＰＣ基板２０に係合部材６０の底面６０ｆを当接させる構成であり、最後に、係合部材６０の内壁６０ｅをＦＰＣ基板２０に当接させる構成である。なお、ＦＰＣ基板２０に係合部材６０の上部６０ｄだけを当接させる構成では、ＦＰＣ基板２０に実装される半導体装置５４等の配置の自由度が増すため、組み立て性の向上し、ＦＰＣ基板２０の裏面２０ｃ側の位置合わせが容易になる。
また、本実施形態では、コ字型の係合部材６０でＦＰＣ基板２０を押さえているので、液晶パネル１０の浮きを確実に防止することが可能である。
また、フレーム４０として金属板４３及び樹脂部４４を有する構成としたが、金属板４３に代えてプラスチックであっても良い。
また、係合部材６０は、必ずしも金属を含む必要はなく、少なくともフレーム４０に係合される部分が剛性部材であれば良い。
また、電気光学装置として液晶パネル１０を備えた液晶表示装置１を例に挙げて説明したが、これに限るものではなく、本発明は電気光学装置一般に適用可能である。
【００４７】
［電子機器］
次に、上述した構成の液晶表示装置１を備える電子機器について説明する。なお、この実施形態は、本発明の一例を示すものであり、本発明がこの実施形態に限定されるものではない。ここで、図５は、本発明の液晶表示装置１を備える電子機器である携帯電話機を示す外観斜視図である。本実施形態における電子機器は、図５に示すような携帯電話機３００であって、本体部３０１と、これに開閉可能に設けられた表示体部３０２とを有する。表示体部３０２の内部には表示装置３０３が配置されており、電話通信に関する各種表示が表示画面３０４において視認可能となっている。また、本体部３０１には操作ボタン３０５が配列されている。
そして、表示体部３０２の一端部には、アンテナ３０６が伸縮自在に取り付けられている。また、表示体部３０２の上部に設けられた受話部３０７の内部には、スピーカ（図示略）が内蔵されている。さらに、本体部３０１の下端部に設けられた送話部３０８の内部には、マイク（図示略）が内蔵されている。ここで、表示装置３０３には、上記液晶表示装置１が用いられている。
【００４８】
なお、本発明の電子機器としては、携帯電話以外にも、例えば電子ノート、パーソナルコンピュータ、電子ブック、ビューファインダ型、モニタ直視型のビデオテープレコーダ、カーナビゲーション装置、ページャ、電子手帳、電卓、ワードプロセッサ、ワークステーション、テレビ電話、ＰＯＳ端末等などを挙げることができる。
【００４９】
なお、本発明の技術範囲は上記実施形態に限定されるものではなく、本発明の趣旨を逸脱しない範囲において種々の変更を加えることが可能である。
【図面の簡単な説明】
【００５０】
【図１】本発明の一実施形態に係る液晶表示装置を示す平面図である。
【図２】図１の液晶表示装置の要部断面図である。
【図３】図１の液晶表示装置を裏面から見た斜視図である。
【図４】図１の液晶表示装置の係合部材を係合する前の状態を示す斜視図である。
【図５】本発明の電子機器に係る携帯電話の概略構成図である。
【図６】従来の液晶表示装置の問題点を示した断面図である。
【図７】従来の液晶表示装置の問題点を示した断面図である。
【図８】従来の液晶表示装置の問題点を示した斜視図である。
【符号の説明】
【００５１】
１…液晶表示装置（電気光学装置）、１０…液晶パネル（電気光学パネル）、２０…ＦＰＣ基板（配線基板）、４０…フレーム、４３…金属板（金属部）、４４…樹脂部、６０…係合部材３００…携帯電話機（電子機器）
【図１】
2009216977.tif 000003
【図２】
2009216977.tif 000004
【図３】
2009216977.tif 000005
【図４】
2009216977.tif 000006
【図５】
2009216977.tif 000007
【図６】
2009216977.tif 000008
【図７】
2009216977.tif 000009
【図８】
2009216977.tif 000010